(57)【要約】      （修正有）【課題】比較的簡単な構造で、種々の厚み寸法の中紙を留めることができる留め具、及び、この留め具を備えた冊子を提供する。【解決手段】表紙３間に複数枚の中紙を配した冊子１に用いられ、前記中紙の一部を一方の表紙に添接した状態で挿脱可能に保持する留め具２であって、前記一方の表紙の内面に固定される基板７と、この基板に一体に設けられ当該基板に対して移動可能な中紙保持体８とを備える。【選択図】図８
2014213534.tif 000002
【特許請求の範囲】
【請求項１】
表紙間に複数枚の中紙を配した冊子に用いられ、前記中紙の一部を一方の表紙に添接した状態で挿脱可能に保持する留め具であって、
前記一方の表紙の内面に固定される基板と、この基板に一体に設けられ当該基板に対して移動可能な中紙保持体とを備えたことを特徴とする留め具。
【請求項２】
前記中紙保持体が、一端を前記基板に一体に連続させ、他端側を前記基板に一定の範囲で移動可能に係合させたものである請求項１記載の留め具。
【請求項３】
前記中紙保持体が、前記基板との間で中紙を挟持する保持体本体と、この保持体本体の一端に連続して設けられ前記基板に一体に保持される第１のマチ部と、前記保持体本体の他端に連続して設けられた第２のマチ部と、この第２のマチ部の先端に連続して設けられ前記基板にスライド可能に係合する係合部とを備えたものである請求項１または２記載の留め具。
【請求項４】
前記基板と前記中紙保持体とが、一枚の合成樹脂製シート素材により一体に形成されたものである請求項１、２または３記載の留め具。
【請求項５】
請求項１、２、３または４記載の留め具を少なくとも一方の表紙の内面に設けてなる冊子。
【請求項６】
前記留め具が、前記一方の表紙の外側縁との間に控え隙間が形成される位置に設けられている請求項５記載の冊子。
【請求項７】
表紙間に複数枚の中紙からなる第１の中紙群と、複数枚の中紙からなる第２の中紙群とを上下に隣接配置してなる請求項５または６記載の冊子。
【発明の詳細な説明】
【技術分野】
【０００１】
本発明は、冊子の中紙を挿脱可能に保持する留め具、及び、この留め具を備えた冊子に関するものである。
【背景技術】
【０００２】
従来、書籍やノート、ダイアリー（手帳）等の冊子において、所望のページを開いた状態に保持させておいたり、冊子を閉じた状態から次に開く際に、すぐに所望のページを開けることができるよう、しおり代わりに用いたりするための留め具が種々知られている。
【０００３】
例えば図１１及び図１２に示すような留め具は、留めておく用紙が多くなりすぎると冊子を閉じた際に、図１３や図１４に示すように表紙や中紙が厚み方向に湾曲してしまい、一方、留めておく用紙が少なすぎると冊子を開けた際に、中紙が留め具から簡単に外れてしまうという問題があった。
【０００４】
このような問題を解決するために、留めるべき中紙の枚数が変わった際にも柔軟に対応できるようにした留め具も種々知られている（例えば、下記特許文献１を参照）。
【０００５】
この留め具は、中紙の枚数の違い等による厚み寸法に応じて、中紙を保持する押え板を固定板に対してスライド移動させるための調節機構を備えたものである。具体的には、押え板の一端側と他端側にはそれぞれ、押え板と固定板との相対位置を変更可能に連結するための連結部材の一端が取り付けられており、これらの連結部材の他端側は固定板に設けられた挿入孔にそれぞれ貫通されている。
【０００６】
ところが、このような調節機構を備えたものは、留め具全体が非常に複雑になってしまっているという問題があった。
【先行技術文献】
【特許文献】
【０００７】
【特許文献１】実開昭６１−１１２９７３号公報
【発明の概要】
【発明が解決しようとする課題】
【０００８】
本発明は、比較的簡単な構造で、種々の厚み寸法の中紙を留めることができる留め具、及び、この留め具を備えた冊子を提供することを目的としている。
【課題を解決するための手段】
【０００９】
本発明は、以上のような課題を解決するために、次のような構成を採用したものである。すなわち、本発明に係る留め具は、表紙間に複数枚の中紙を配した冊子に用いられ、前記中紙の一部を一方の表紙に添接した状態で挿脱可能に保持するものであって、前記一方の表紙の内面に固定される基板と、この基板に一体に設けられ当該基板に対して移動可能な中紙保持体とを備えたことを特徴とする。
【００１０】
ここで、「冊子」とは、表紙と中紙とを備えたものであればどのようなものであってもよく、例えば、書籍、ノート、ダイアリーその他種々のものが考えられる。
【００１１】
前記中紙保持体は、一端を前記基板に一体に連続させ、他端側を前記基板に一定の範囲で移動可能に係合させたものが好ましい。
【００１２】
前記中紙保持体の好適な一例としては、前記基板との間で中紙を挟持する保持体本体と、この保持体本体の一端に連続して設けられ前記基板に一体に保持される第１のマチ部と、前記保持体本体の他端に連続して設けられた第２のマチ部と、この第２のマチ部の先端に連続して設けられ前記基板にスライド可能に係合する係合部とを備えたものが挙げられる。
【００１３】
前記基板と前記中紙保持体とが、一枚の合成樹脂製シート素材により一体に形成されたものが好適な一態様として挙げられる。
【００１４】
また、前述したような留め具を備えた冊子としては、上述した留め具を少なくとも一方の表紙の内面に設けてなるものが好ましい。
【００１５】
前記留め具は、前記一方の表紙の外側縁との間に控え隙間が形成される位置に設けられているものが好ましい。
【００１６】
冊子の具体的な一態様としては、表紙間に複数枚の中紙からなる第１の中紙群と、複数枚の中紙からなる第２の中紙群とを上下に隣接配置してなるものが挙げられる。
【発明の効果】
【００１７】
本発明は、以上のような構成であるから、比較的簡単な構造で、種々の厚み寸法の中紙を留めることができる留め具、及び、この留め具を備えた冊子を提供することができる。
【図面の簡単な説明】
【００１８】
【図１】本発明の一実施形態にかかる冊子の開いた状態を示す外観図。
【図２】同実施形態の冊子の開いた状態を示す平面図。
【図３】同実施形態の冊子の表表紙を開いた状態を示す平面図。
【図４】同実施形態の冊子の閉じた状態を示す外観図。
【図５】同実施形態の冊子の閉じた状態を示す外観図。
【図６】同実施形態の留め具の作動説明図。
【図７】図６のＡ−Ａ線断面図。
【図８】同実施形態の留め具の作動説明図。
【図９】図８のＢ−Ｂ線断面図。
【図１０】同実施形態の留め具形成部材を示す展開図。
【図１１】本発明の比較例にかかる留め具の図６対応図。
【図１２】本発明の他の比較例にかかる留め具の図６対応図。
【図１３】同比較例の留め具を備えた冊子の閉じた状態を示す図４対応図。
【図１４】同比較例の留め具を備えた冊子の閉じた状態を示す正面図。
【発明を実施するための形態】
【００１９】
以下、本発明の一実施形態を、図面を参照して説明する。
【００２０】
本実施形態の冊子１は、例えば、中紙５にスケジュールや日記等を書き込み可能なダイアリーとして用いられるものである。
【００２１】
前記冊子１は、図１〜図９に示すように、厚紙製の表表紙３と、同じく厚紙製の裏表紙４との間に複数枚の中紙５を綴じてなるもので、前記各中紙５の両面にそれぞれページが形成されている。この冊子１は、表紙３、４間に複数枚の中紙５からなる第１の中紙群５１と、複数枚の中紙５からなる第２の中紙群５２とを上下に隣接配置してなり、第１の中紙群５１と第２の中紙群５２とを相互に独立して開閉可能にしたものである。本実施形態の第１の中紙群５１と第２の中紙群５２とは、相互に大きさを異ならせている。具体的には、第１の中紙群５１の上下幅寸法は、第２の中紙群５２の上下幅寸法よりも小さく設定されている。前記第１の中紙群５１は、各中紙５に月間スケジュール欄を印刷したものであり、第２の中紙群５２は、各中紙５に週間スケジュール欄を印刷したものである。なお、月間スケジュール欄及び週間スケジュール欄は、図示していない。
【００２２】
このような冊子１の一方の表紙３には、図１〜図９に示すように、留め具２が取り付けられている。具体的には、前記留め具２は、一方の表紙である表表紙３の内面３１に設けられたものであり、本実施形態では、反綴じ元１０側の上端部１１の一箇所に設けられている。この留め具２は、前記表表紙３の外側縁３３との間に控え隙間６が形成される位置に設けられている。
【００２３】
前記留め具２は、図１〜図９に示すように、表紙３、４間に複数枚の中紙５を配した冊子１に用いられ、前記中紙５の一部を表表紙３に添接した状態で挿脱可能に保持するものである。この留め具２は、前記表表紙３の内面３１に固定される基板７と、この基板７に一体に設けられ当該基板７に対して移動可能な中紙保持体８とを備えてなる。前記基板７と前記中紙保持体８とは、一枚の合成樹脂製シート素材により一体に形成されたものであり、例えば、縦幅寸法が約３ｃｍ、横幅寸法が約２ｃｍに設定されている。
【００２４】
前記基板７は、図２、図３及び図６〜図９に示すように、前記冊子１に対して移動不能に固定される部分であり、平面視ほぼコ字形をなしている。具体的には、前記基板７は、表表紙３に両面テープ２０を用いて接着される対をなす取付部７１、７２と、これら取付部７１、７２間に配された橋架部７３とを備えている。この橋架部７３は、両面テープが付着しておらず、基板７を表表紙３に取り付けた状態で、橋架部７３の下面側と表表紙３の上面側との間には、中紙保持体８の一部を挿通可能な空間７４が形成されている。なお、基板７の角部７０は、中紙５の引っ掛かりを可及的に少なくするために、それぞれ湾曲形状となっている。なお、図６〜図９では、基板７にパターンを付して示しているとともに、図６及び図８では表表紙３と基板７との間に配される両面テープ２０を二点鎖線で示している。
【００２５】
前記中紙保持体８は、図１〜図９に示すように、前記冊子１及び基板７に対してスライド移動可能な部分であり、一端８１を前記基板７に一体に連続させ、他端側８２を前記基板７に一定の範囲で移動可能に係合させたものである。具体的には、前記中紙保持体８は、前記基板７との間で中紙５を挟持する保持体本体８３と、この保持体本体８３の一端８３１に連続して設けられ前記基板７に一体に保持される第１のマチ部８４と、前記保持体本体８３の他端８３２に連続して設けられた第２のマチ部８５と、この第２のマチ部８５の先端８５１に連続して設けられ前記基板７にスライド可能に係合する係合部８６とを備えたものである。
【００２６】
前記保持体本体８３は、図１〜図３及び図６〜図９に示すように、平面視ほぼ台形状をなすもので、両端側に第１のマチ部８４及び第２のマチ部８５が一体に形成されている。この保持体本体８３は、前記第１のマチ部８４及び第２のマチ部８５が冊子１の厚み方向に立ち上げられた状態と折り畳まれた状態とをとることによって、冊子１の厚み方向（図２、図３、図６及び図８での前後方向、図７及び図９での上下方向）にスライド移動するとともに、冊子１の上下方向にスライド移動するものである。保持体本体８３の先端角部８３３は、中紙５の引っ掛かりを可及的に少なくするために、湾曲形状となっている。
【００２７】
前記第１のマチ部８４は、図４、図５及び図８に示すように、前記保持体本体８３を折り畳んだ状態で、平面視ほぼ矩形状をなすものである。第１のマチ部８４は、短辺の長さ寸法を約３ｍｍに設定しており、前記保持体本体８３を立ち上げた状態で、この短辺の長さ寸法に対応する厚み寸法を有した中紙５を、当該留め具２内に挿入することが可能となっている。
【００２８】
前記第２のマチ部８５は、図４、図５及び図７〜図９に示すように、前記保持体本体８３を折り畳んだ状態で、平面視ほぼ矩形状をなすものである。この第２のマチ部８５は、長辺の長さ寸法、すなわち幅寸法が、隣接する保持体本体８３の他端８３２及び係合部８６の基端８６０の幅寸法よりも小さく設定されている。そのため、中紙保持体８は当該第２のマチ部８５において、くびれた形状をなしている。第２のマチ部８５は、短辺の長さ寸法を約３ｍｍに設定しており、前記保持体本体８３を立ち上げた状態で、この短辺の長さ寸法に対応する厚み寸法を有した中紙５を、当該留め具２内に挿入することが可能となっている。
【００２９】
前記係合部８６は、図３及び図６〜図９に示すように、平面視ほぼＴ字状をなすもので、前記基板７の橋架部７３の下面側に潜り込む係合部本体８６１と、この係合部本体８６１の先端側に設けられ当該係合部本体８６１よりも幅寸法の大きい抜け止め部分８６３とを備えている。係合部本体８６の基端角部８６２は、中紙５の引っ掛かりを可及的に少なくするために湾曲形状となっている。抜け止め部分８６３における先端側の対をなす角部８６４は、中紙５の引っ掛かりを可及的に少なくするために湾曲形状となっている。
【００３０】
この留め具２は、図１０に示すような留め具形成部材９により形成されるものである。この留め具形成部材９は、合成樹脂製のシート素材を打ち抜き加工を施すことにより作られるものであり、前記基板７に対応する基板形成部９１と、前記中紙保持体８に対応する保持体形成部９２とを備えている。すなわち、基板形成部９１と保持体形成部９２とは、一体に形成されている。
【００３１】
この留め具形成部材９を、基板形成部９１の一面に両面テープ２０を添接させた状態で、第１のマチ部８４が表表紙３の上縁３２側にくるようにして、表表紙３の反綴じ元１０側の角部に貼着する。より具体的には、留め具形成部材９は、基板形成部９１の上縁部を前記表表紙３の上縁３２に沿わせるとともに、基板形成部９１の側縁部を前記表表紙３の外側縁３３から控えた位置に前記外側縁３３に沿わせるように配置される。その後、保持体形成部９２の先端側を前記基板形成部９１によって形成された基板７と表表紙３との間の空間７４を挿通させて、係合部８６を前記橋架部７３の反対側に突出させることによって、図１〜図９に示すような留め具２が作られている。
【００３２】
以上に述べたように、本実施形態に係る留め具２は、表紙３、４間に複数枚の中紙５を配した冊子１に用いられ、前記中紙５の一部を一方の表紙３に添接した状態で挿脱可能に保持するものであって、前記一方の表紙３の内面３１に固定される基板７と、この基板７に一体に設けられ当該基板７に対して移動可能な中紙保持体８とを備えてなる。
【００３３】
そのため、冊子１の所望のページを開いた状態に保持させておいたり、冊子１を閉じた状態から次に開く際に、すぐに所望のページを開けるようにしおり代わりに用いたりすることができる。そして、中紙５の枚数の違い等による厚み寸法に応じて、中紙５を保持する中紙保持体８を基板７に対してスライド移動させることができるので、図４、図６及び図７に示すように、保持すべき中紙５が比較的多い場合にも、図５、図８及び図９に示すように、保持すべき中紙５が比較的少ない場合にも、しっかりと中紙５の角部を保持することができる。なお、図４は、留め具２にマチ部８４、８５の厚み寸法とほぼ同じ厚み寸法の中紙５を留めた状態を示しており、図５は、留め具２にマチ部８４、８５の厚み寸法よりも小さい厚み寸法の中紙５を留めた状態を示している。
【００３４】
特に、本実施形態では、このような基板７に対する中紙保持体８を移動させるための機構が、比較的簡単な構造のものであるため、取り付け作業が比較的簡単で、なおかつ、取り付けた後の取り扱いも非常に簡単である。
【００３５】
また、前記中紙保持体８は、一端８１を前記基板７に一体に連続させ、他端側８２を前記基板７に一定の範囲で移動可能に係合させたものであるので、表紙３に直接取り付けられていない中紙保持体８をなくしてしまうおそれもない。さらに、前記中紙保持体８は、ページを開く方向に移動可能なものであるので、中紙５を留め具２に挿入する動作に伴って厚み寸法が大きくなる方向に留め具２を変形させることができる。また、係合部８６の抜け止め部分８６３が、基板７の橋架部７３に当接することで、一定以上移動して係合状態が解除されてしまわないようにストッパとしての機能を発揮している。
【００３６】
前記中紙保持体８は、前記基板７との間で中紙５を挟持する保持体本体８３と、この保持体本体８３の一端８３１に連続して設けられ前記基板７に一体に保持される第１のマチ部８４と、前記保持体本体８３の他端８３２に連続して設けられた第２のマチ部８５と、この第２のマチ部８５の先端８５１に連続して設けられ前記基板７にスライド可能に係合する係合部８６とを備えたものであるので、第１のマチ部８４及び第２のマチ部８５を基板７に対して略直角になるように（基板７と第１のマチ部８４及び第２のマチ部８５とのなす角度が略９０度となるように）立ち上げたり、第１のマチ部８４及び第２のマチ部８５を基板７に対して略平行になるように（基板７と第１のマチ部８４及び第２のマチ部８５とのなす角度が略０度または略１８０度となるように）折り畳んだりして、図４、図６及び図７に示すような中紙５の枚数が多い場合にも、図５、図８及び図９に示すような中紙５の枚数が少ない場合にも、柔軟に対応させることができる。
【００３７】
なお、第１のマチ部８４及び第２のマチ部８５の立ち上がり寸法に対応する厚み寸法までの中紙５であれば、図４及び図５に示すように、留め具２に中紙５を保持した状態のまま冊子１を閉じた場合に、冊子１が厚み方向に湾曲することがなくなる。そのため、冊子１をコンパクトにしておくことができる。
【００３８】
すなわち、従来の留め具Ａ２、Ｂ２、具体的には図１１や図１２に例示されるような中紙保持体Ａ８、Ｂ８が基板Ａ７、Ｂ７に対して固定されたものに比べて、本実施形態の留め具２は、冊子１を開いたときの美観を良くすることができるのみならず、冊子１を畳んだときの外観も良好なものとすることができる。
【００３９】
詳述すれば、図１１に示すような留め具Ａ２は、薄板状の合成樹脂製シート素材により形成されたものであり、例えば、写真程度の厚みを有した用紙の角部を挿脱可能に保持するものである。留め具Ａ２は、基板Ａ７と、この基板Ａ７に対して移動不能な中紙保持体Ａ８とを備えており、冊子Ａ１の上縁Ａ３２及び外側縁Ａ３３に位置する基板Ａ７と中紙保持体Ａ８との接続部分には、マチ部が形成されていない。
【００４０】
このような留め具Ａ２は、留める中紙が比較的多くなると、冊子Ａ１を開いた状態で中紙が保持できないだけでなく、保持し得る枚数の中紙を留めた場合であっても中紙が大きく湾曲してしまい、美観を損ねる。一方、留め具Ａ２に中紙を留めて冊子Ａ１を閉じた状態でも、表紙Ａ３や中紙が大きく湾曲してしまい、冊子Ａ１がコンパクトにならず、美観を損ねる。
【００４１】
また、マチ部Ｂ８４、Ｂ８５を備えた留め具Ｂ２、具体的には、図１２に示すような留め具Ｂ２は、図１１と同様に薄板状の合成樹脂製シート素材により形成されたものであり、例えば図１１に示した留め具Ａ２よりも厚みを有した用紙の角部を挿脱可能に保持するものである。留め具Ｂ２は、基板Ｂ７と、この基板Ｂ７に対して移動不能な中紙保持体Ｂ８とを備えており、冊子Ｂ１の上縁Ｂ３２及び外側縁Ｂ３３に位置する基板Ｂ７と中紙保持体Ｂ８との接続部分には、それぞれマチ部Ｂ８４、Ｂ８５が形成されている。
【００４２】
このような留め具Ｂ２は、留める中紙が比較的多くなると、冊子Ｂ１を開いた状態で中紙が保持できないだけでなく、保持し得る枚数の中紙を留めた場合であっても中紙が大きく湾曲してしまい、美観を損ねる。一方、留め具Ｂ２に中紙を留めて冊子Ｂ１を閉じた状態でも、図１３及び図１４に示すように表紙Ｂ３や中紙が大きく湾曲してしまい、冊子Ｂ１がコンパクトにならず、美観を損ねる。
【００４３】
なお、図１２に示すようなものであると、マチ部Ｂ８４、Ｂ８５が冊子Ｂ１の厚み方向に立ち上がっているため、留め具Ｂ２に中紙を留めない状態、または、留め具Ｂ２にマチ部Ｂ８４、Ｂ８５の厚み寸法よりも小さい厚み寸法の中紙を留めた状態で冊子Ｂ１を閉じると、留め具Ｂ２の設けられた部分がマチ部Ｂ８４、Ｂ８５の厚み寸法だけ厚み方向に突出してしまうという不具合がある。
【００４４】
しかしながら、本実施形態の留め具２によれば、中紙保持体８が基板７に対して移動可能なものであるので、留める中紙５が比較的少ない場合であっても比較的多い場合であっても、中紙保持体８を基板７に対して移動させることによって、基板７と中紙保持体８との厚み方向の距離を適切に調整することができる。そのため、図１及び図２に示すように、冊子１を開いた状態でしっかりと中紙５が保持でき、一方、冊子１を閉じた状態でも、図４及び図５に示すように、表紙３や中紙５が大きく湾曲することなく中紙５を適切に保持できる。
【００４５】
さらに、本実施形態の留め具２は、基板７に対してなす角度を自由に変更可能な第１のマチ部８４及び第２のマチ部８５を備えたものであるので、基板７と中紙保持体８との厚み方向の距離調節が比較的容易である。その上、留め具２に中紙５を留めない状態で冊子１を閉じた場合には、中紙保持体８が基板７に対して接する位置まで移動可能であるため、冊子１全体をコンパクトにしておくことができる。
【００４６】
また、前記基板７と前記中紙保持体８とが、一枚の合成樹脂製シート素材により一体に形成されたものであるので、留め具２の厚みによって冊子１を閉じたときに邪魔になるという問題が生じない。特に、本実施形態では、シート素材に打ち抜き加工を施して基板形成部９１と保持体形成部９２が作られる際に、直線状をなす折り線９３、９４、９５、９６を形成するようにしている。すなわち、組み立てられた留め具２には、前記基板７の取付部７２と中紙保持体８の第１のマチ部８４、第１のマチ部８４と中紙保持体８の保持体本体８３、保持体本体８３と中紙保持体８の第２のマチ部８５、第２のマチ部８５と中紙保持体８の係合部８６との間に、前記折り線９３、９４、９５、９６に対応した折り目が形成されることとなる。なお、図１０では、前記折り線９３、９４、９５、９６を一点鎖線で示すとともに、図３及び図８では、折り目を一点鎖線で示している。
【００４７】
さらに、本実施形態の冊子１は、前記留め具２を少なくとも一方の表紙、特に、表表紙３の内面３１に設けてなるので、中紙５を表表紙３側に添うように保持させておくことができる。特に、本実施形態のように冊子１がダイアリーであると、使い終わった月間スケジュール欄が印刷された中紙５を保持させておくことができる。
【００４８】
また、前記留め具２は、前記一方の表紙の外側縁３３との間に控え隙間６が形成される位置に設けられているので、中紙保持体８がスライド移動した場合であっても、中紙保持体８が冊子１の外側縁３３から外方に突出しない。そのため、特に冊子１を閉じた状態で美観を良好なものとすることができるだけでなく、冊子１の外部から留め具２に手等を引っ掛けてしまう等の不具合も抑制できる。
【００４９】
さらに、本実施形態の冊子１は、表紙間に複数枚の中紙５からなる第１の中紙群５１と、複数枚の中紙５からなる第２の中紙群５２とを上下に隣接配置してなるものであるので、第１の中紙群５１のみを前記留め具２で所定ページに保持しておき、第２の中紙群５２を自由にページめくりすることができる。
【００５０】
本実施形態の冊子１は、表紙間に複数枚の中紙５からなる第１の中紙群５１と、複数枚の中紙５からなる第２の中紙群５２とを隣接配置してなり、第１の中紙群５１と第２の中紙群５２とを相互に独立して開閉可能にしたことを特徴とするので、一方の中紙群５１を固定して、他方の中紙群５２を自由にページめくりする等、第１の中紙群５１と第２の中紙群５２とを自由に参照することができる。すなわち、従来、ダイアリー等の冊子１の場合、月間スケジュール欄が印刷された中紙５のページと、週間スケジュール欄が印刷された中紙５のページとは、それぞれが決まった部分に綴じられていることが多い。そのため、月間スケジュール欄と週間スケジュール欄とを参照し合うための自由度が低かったという問題があった。ところが、上述したようなものであれば、相互に参照しやすいものとすることができる。
【００５１】
特に、本実施形態では、第１の中紙群５１が、各中紙５に月間スケジュール欄を印刷したものであり、第２の中紙群５２が、各中紙５に週間スケジュール欄を印刷したものであるので、比較的ページめくりが行われない月間スケジュール欄が設けられた中紙５を前記留め具２を用いて所定ページに保持しておくことができるとともに、比較的ページめくりが頻繁に行われる週間スケジュール欄が設けられた中紙５を自由にしておくことで、上段の月間スケジュール欄と下段の月間スケジュール欄とを相互に参照しやすいものとすることができる。
【００５２】
なお、本発明は以上に述べた実施形態に限られない。
【００５３】
本発明の冊子は、ダイアリーの他、ノートや書籍、その他のものであってもよい。
【００５４】
また、冊子を構成する表紙や中紙の素材も、シート状のものであればどのようなものであってもよく、紙製の他、プラスチック製その他種々変更可能である。
【００５５】
さらに、表紙は、中紙と一体に綴じられているものには限られない。例えば、ダイアリーや書籍の表紙のさらに外側にカバーを設けるような場合、このカバーを本発明の表紙とみなすことができる。すなわち、カバーの内面に留め具を取り付けたものであって、カバーを含む表紙間に複数枚の中紙を配した冊子に用いられ、前記中紙の一部を一方の表紙に添接した状態で挿脱可能に保持する留め具であってもよい。
【００５６】
本発明の冊子は、上述したような中紙が上下方向に分かれているものに限られず、表紙と同一またはほぼ同一の大きさを有する中紙を備えたものであってもよい。また、表紙間に複数枚の中紙からなる第１の中紙群と、複数枚の中紙からなる第２の中紙群とを上下に隣接配置してなるものの他に、さらに複数枚の中紙からなる第３の中紙群を備えて前記第２の中紙群に隣接配置させたものや、このようなものに、さらに複数枚の中紙からなる第４の中紙群を備えて前記第３の中紙群に隣接配置させたものであってもよい。
【００５７】
さらに、冊子がレポート用紙のような上下方向にページをめくるものであれば、第１の中紙群と第２の中紙群とを左右に隣接配置してなるものであってもよい。
【００５８】
なお、第１の中紙群と第２の中紙群との大きさは、相互に異なるものであってもよいし、同じものであってもよい。特に、本実施形態のように、第１の中紙群の上下幅寸法が第２の中紙群の上下幅寸法が小さいものであれば、比較的書き込み量の多い第２の中紙群の書き込みスペースを大きく設定することができる。
【００５９】
また、本実施形態では、第１の中紙群に月間スケジュール欄を印刷し、第２の中紙群に週間スケジュール欄を印刷していたが、第１の中紙群に年間スケジュール欄を印刷し、第２の中紙群に月間スケジュール欄を印刷したもの、第１の中紙群に週間スケジュール欄を印刷し、第２の中紙群に１日のスケジュール欄を印刷したもの、第１の中紙群に月間スケジュール欄または週間スケジュール欄を印刷し、第２の中紙群にメモ欄を設けたもの等であってもよい。
【００６０】
なお、各スケジュール欄は、見開きの両側に印刷されるもののみならず、見開きの一方のページにスケジュール欄を設けるとともに、他方のページにメモ欄を設けるようなものであってもよい。また、各スケジュール欄は、各欄が横方向に伸びるホリゾンタル式、各欄が縦方向に伸びるバーチカル式、各欄がブロック状をなすブロック式等種々のものを適用することができる。
【００６１】
上述した実施形態では、冊子の表表紙のみに留め具が取り付けられていたが、冊子の裏表紙のみ、または表表紙と裏表紙との両側に留め具を備えたものであってもよい。さらに、留め具の取り付け位置についても、図示したものに限られない。すなわち、留め具の取り付け位置は、中紙の角部が位置する箇所に対応する部分であればどのようなところであってもよく、例えば、反綴じ元側の下端部や、反綴じ元側の中間部であってもよい。また、一方の表紙の複数箇所に留め具を備えるものであってもよい。
【００６２】
留め具は、上述した実施形態では、一方の表紙の外側縁との間に控え隙間が形成される位置に設けられるようにしていたが、中紙の大きさによっては、さらに一方の表紙の上縁との間に控え隙間が形成されるようにしてもよい。
【００６３】
表紙への留め具の取り付け方法は、両面テープに限られず、他の接着剤を用いて取り付ける他、表紙と留め具の材質によっては溶着によって取り付けてもよい。
【００６４】
留め具は、合成樹脂製のものに限られず、紙製、金属製その他種々変更可能である。合成樹脂製の薄板状のものであれば、比較的軽量で、繰り返しの中紙の挿脱に耐え得るものとすることができる。
【００６５】
また、留め具の大きさについても、上述したものよりも大きいものや小さいもの等種々変更可能である。
【００６６】
その他、本発明の趣旨を損ねない範囲で種々に変更してよい。
【符号の説明】
【００６７】
１…冊子
２…留め具
３、４…表紙
３１…内面
３３…外側縁
５…中紙
５１…第１の中紙群
５２…第２の中紙群
６…控え隙間
７…基板
８…中紙保持体
８１…一端
８２…他端側
８３…保持体本体
８３１…一端
８３２…他端
８４…第１のマチ部
８５…第２のマチ部
８５１…先端
８６…係合部
【図１】
2014213534.tif 000003
【図２】
2014213534.tif 000004
【図３】
2014213534.tif 000005
【図４】
2014213534.tif 000006
【図５】
2014213534.tif 000007
【図６】
2014213534.tif 000008
【図７】
2014213534.tif 000009
【図８】
2014213534.tif 000010
【図９】
2014213534.tif 000011
【図１０】
2014213534.tif 000012
【図１１】
2014213534.tif 000013
【図１２】
2014213534.tif 000014
【図１３】
2014213534.tif 000015
【図１４】
2014213534.tif 000016